(57)【特許請求の範囲】
【請求項１】
複数の脚部と、
一対の前記脚部の間に設けられた幕板と、
矩形状の天板とを備える机であって、
前記幕板の上端部と前記天板の前記幕板側の端部とが、鉛直方向及びユーザが位置する正面側から前記幕板側に向かう奥行方向にずれることにより開口部が形成され、前記脚部のうち前記開口部側の上側隅部は斜めに切り欠かれており、
前記天板の前記端部に重ねられる板状の第１壁部と、該第１壁部の法線方向に延在し前記幕板の前記上端部に重ねられ前記開口部の奥行方向側を覆う板状の第２壁部とを備えるカバーを備え、当該カバーは、前記第１壁部の前記上側隅部側の端部及び前記第２壁部の前記上側隅部側の端部に斜めに切り欠いた切り欠き部を有するとともに、前記開口部に載置されることを特徴とする机。
【請求項２】
前記カバーは、前記第１壁部の両端と、前記第２壁部の両端とに前記切り欠き部を有する
請求項１に記載の机。
【請求項３】
前記カバーは複数設けられ、隣り合う前記カバーの切り欠き部によって配線用の開口が形成される
請求項１又は２に記載の机。
【請求項４】
前記カバーは、前記幕板の上端面に当接する第３壁部と前記幕板の正面に当接する第４壁部とを有する取付部を備え、該取付部の前記第４壁部と前記第２壁部との間に前記幕板の上端部を差し込むことにより前記幕板の上端部に取り付けられる
請求項１〜３のいずれか１項に記載の机。
【請求項５】
複数の脚部と、一対の前記脚部の間に設けられた幕板と、矩形状の天板とを備える机のカバーであって、
前記机は、前記幕板の上端部と前記天板の前記幕板側の端部とが、鉛直方向及びユーザが位置する正面側から前記幕板側に向かう奥行方向にずれることにより開口部が形成され
、前記脚部のうち前記開口部側の上側隅部は斜めに切り欠かれており、
前記カバーは、前記天板の前記端部に重ねられる板状の第１壁部と、該第１壁部の法線方向に延在し前記幕板の前記上端部に重ねられ前記開口部の奥行方向側を覆う板状の第２壁部とを備え、前記第１壁部の前記上側隅部側の端部及び前記第２壁部の前記上側隅部側の端部に斜めに切り欠いた切り欠き部を有するとともに、前記開口部に載置されることを特徴とする机のカバー。
【発明の詳細な説明】
【技術分野】
【０００１】
本発明は、配線が可能なカバーを備えた机、及びカバーに関する。
【背景技術】
【０００２】
机には、コンピュータなどの電子機器に接続するケーブルを配線するための開口部が設けられているものがある。この配線用開口部のうち簡易な構成のものとしては、例えば、天板に形成された孔に樹脂製のカバーを嵌めたものが知られている。ほかには、天板の下側にケーブルを収容するケーブルダクトを備えた机（デスク）も提案されている（例えば、特許文献１参照）。ケーブルダクトは、机の幅方向に延在し、上部に開口部を有する箱状の形状を有している。机の一方の脚には、ケーブルダクトの内部空間に連通する貫通窓が設けられている。ケーブルダクトの開口部には、１対のカバー部材や、カバー部材を固定するためのカバー固定部材などが設けられている。一方のカバー部材は、他方のカバー部材に対して回転連結端を介して回転可能な状態で連結される。ケーブルは、脚に設けられた貫通窓、回転されたカバー部材と天板との間に設けられた開口から引き出すことが可能である。
【先行技術文献】
【特許文献】
【０００３】
【特許文献１】特開２００９−９５３８６号公報
【発明の概要】
【発明が解決しようとする課題】
【０００４】
上述した各机のうち、樹脂製のカバーを有する前者は、コストを低減できる一方、ケーブルの引き出し位置が１箇所となるため、配線の制約が大きく、例えば、ケーブルを隠したり、複数のケーブルをまとめたりしにくい。また、この机に配線用開口部を複数設ける場合には、天板を貫通する孔を複数設ける必要があり、開口部を増設するに伴い、部品点数も増加する。一方、後者のケーブルダクトを有する机は、ケーブルを隠すことができ、カバー部材を回転させることによって任意の位置からケーブルを引き出すことができる。一方で、その開口部にカバー部材や、カバー固定部材などが設けられるため、前者の机に比べ部品点数が多い。また、カバー部材やカバー固定部材の形状も複雑である。そのため、ケーブルダクトを備えた後者の机は、前者の机に比べコストが大きくなる。
【０００５】
本発明は、上記問題点を解決するためになされたものであり、その目的は、部品点数を低減しつつ複数の配線用の開口を設けることのできる机及び机のカバーを提供することにある。
【課題を解決するための手段】
【０００６】
上記課題を解決する机は、複数の脚部と、一対の前記脚部の間に設けられた幕板と、矩形状の天板とを備える机であって、前記幕板の上端部と前記天板の前記幕板側の端部とが、鉛直方向及びユーザが位置する正面側から前記幕板側に向かう奥行方向にずれることにより開口部が形成され、前記天板の前記端部に重ねられる板状の第１壁部と、該第１壁部の法線方向に延在し前記幕板の前記上端部に重ねられる板状の第２壁部とを備えるカバーを備え、当該カバーは、一方の前記脚部から他方の前記脚部に向かう方向を幅方向とするとき前記第１壁部における前記幅方向の両端及び前記第２壁部の前記幅方向の両端からなる４つの端のうち複数に切り欠き部を有するとともに、前記開口部に載置される。
【０００７】
上記課題を解決する机のカバーは、複数の脚部と、一対の前記脚部の間に設けられた幕板と、矩形状の天板とを備える机のカバーであって、前記机は、前記幕板の上端部と前記天板の前記幕板側の端部とが、鉛直方向及びユーザが位置する正面側から前記幕板側に向かう奥行方向にずれることにより開口部が形成され、前記カバーは、板状の第１壁部と、該第１壁部の法線方向に延在する板状の第２壁部とを備え、前記第１壁部における長手方向の両端及び前記第２壁部の長手方向の両端からなる四つの端のうち複数に切り欠き部を有するとともに、前記開口部に載置される。
【０００８】
上記構成では、天板の端部と幕板の上端部とで形成される開口部が、カバーによって覆われる。また、カバーに設けられた切り欠き部と、天板、幕板、及び脚部のうち少なくとも一つによって、ケーブルを挿通可能な開口が区画される。カバーは、板状であって、第１壁部及び第２壁部を有するシンプルな構成であり、開口は、切り欠き部の数を増やすことにより多くできるため、部品点数は増加しない。そのため、部品点数を低減しつつ複数の配線用の開口を設けることができる。
【０００９】
上記机について、前記カバーは、前記第１壁部の両端と、前記第２壁部の両端とに前記切り欠き部を有することが好ましい。
上記構成では、カバーの四つの端部に切り欠き部が設けられるので、部品点数を増加させずに切り欠き部と天板、幕板、脚部のうち少なくとも一つとによって区画される開口を少なくとも４つ設けることができる。このため、配線の制約が低減されるので、ケーブルを隠したりまとめたりするなどのレイアウトが可能となり、ケーブルの引き出し可能な方向も多様となる。
【００１０】
上記机について、前記カバーは複数設けられ、隣り合う前記カバーの切り欠き部によって配線用の開口が形成されることが好ましい。
机に端部を切り欠いたカバーを１つ設ける場合には、カバーの端部が机の隅部に位置するため、配線用の開口は机の隅部に形成される。上記構成では、隣り合うカバーの切り欠き部によって配線用の開口が形成されるので、机の隅部だけでなく、机の中央部にも配線用の開口を設けることができる。また、一つの机に設けられるカバーの数を増やすことによって、配線用の開口の数も増減することができる。
【００１１】
上記机について、前記第１壁部及び前記第２壁部のうち、前記脚部側の端部を除く端部に前記切り欠き部を有することが好ましい。
上記構成では、脚部側の端部を除く端部に切り欠き部を有するため、脚部側に切り欠き部と天板又は脚部とによって区画される開口を設けないようにすることができる。
【００１２】
上記机について、前記カバーは、前記幕板の上端面に当接する第３壁部と前記幕板の正面に当接する第４壁部とを有する取付部を備え、該取付部の前記第４壁部と前記第２壁部との間に前記幕板の上端部を差し込むことにより前記幕板の上端部に取り付けられることが好ましい。
【００１３】
上記構成では、取付部をシンプルな構成としつつ、机に取り付けられたカバーを安定させることができる。
【発明の効果】
【００１４】
本発明にかかる机及び机のカバーによれば、部品点数を低減しつつ複数の配線用の開口を設けることができる。
【図面の簡単な説明】
【００１５】
【図１】机及び机のカバーの第１実施形態について、机の構成を説明する斜視図。
【図２】同実施形態についてカバーを取り外した状態の机を背面側からみた斜視図。
【図３】同実施形態のカバーの斜視図。
【図４】同実施形態について、机のカバー取付構造を説明する断面図。
【図５】同実施形態についてカバーを取り付けた状態の机を背面側からみた斜視図。
【図６】同実施形態について複数の机を並べた状態を示す斜視図。
【図７】机及び机のカバーの第２実施形態について、開口部及びカバーを中心とする机の斜視図。
【図８】机及び机のカバーの他の実施形態について、開口部及びカバーを中心とする机の斜視図。
【発明を実施するための形態】
【００１６】
（第１実施形態）
以下、机及び机のカバーについて、その第１実施形態を説明する。
図１に示すように、机１０は、一対の板状の脚部１１と、幕板１２と、矩形状の天板１３とを備えている。机１０のうちユーザが着座する面を正面、その反対側の面を背面とするとき、幕板１２は、脚部１１の間であって机１０の背面側に設けられている。天板１３は、脚部１１の間であって幕板１２よりも鉛直方向上方に設けられている。また、脚部１１の間であって、天板１３よりも下側には、棚板１４が設けられている。また、天板１３の背面側の端部には、コンピュータなどの電子機器に接続するケーブルを引き出すことが可能な１対のカバー３０が設けられている。
【００１７】
図２に示すように、脚部１１の背面側の隅部（コーナー）のうち上側に位置する上側隅部２０と、下側に位置する下側隅部２１は、板状の脚部１１の角を斜めに切り欠いた形状を有している。また、天板１３の背面側の端部２２と、幕板１２の上面側の端部２３とは、机１０の正面から背面に向かう奥行方向及び鉛直方向にずれている。天板１３は、その端部２２が脚部１１の上側隅部２０の一方の角に一致するように設けられている。また、幕板１２は、その端部２３が脚部１１の上側隅部２０の他方の角に一致するように設けられている。天板１３の端部２２、幕板１２の端部２３、及び脚部１１によって、鉛直方向及び奥行方向に開口する開口部２５が区画されている。開口部２５は、一方の脚部１１から他方の脚部１１まで延びる細長状の開口である。
【００１８】
図３に示すように、カバー３０は、板状の材料からなり、細長状であって、且つ短手方向の断面が略Ｌ字状の形状である。カバー３０は、第１壁部３１、及び第２壁部３２を有しており、第２壁部３２は、第１壁部３１の法線方向に延在している。第１壁部３１は天板１３に重ねられ、第２壁部３２は幕板１２に沿って設けられるため、第１壁部３１及び第２壁部３２がなす角度は、略９０度が好ましい。一方の脚部１１から他方の脚部１１に向かう方向を机１０の幅方向とするとき、カバー３０は、その長手方向が机１０の幅方向と平行となるように配置されている。また図中２点鎖線で示すように、もう一つのカバー３０も、その長手方向が机１０の幅方向と平行となるように配置されている。また、第１壁部３１の幅方向の両端及び第２壁部３２の幅方向の両端には、第１切り欠き部３３〜第４切り欠き部３６が形成されている。第１切り欠き部３３及び第３切り欠き部３５は、第１壁部３１の幅方向の両角を斜めに切り欠くことにより形成されている。第２切り欠き部３４及び第４切り欠き部３６は、第２壁部３２の幅方向の両角を斜めに切り欠くことにより形成されている。
【００１９】
図４に示すように、カバー３０の第２壁部３２の正面には、カバー３０を幕板１２の上端部に取り付けるための取付部３７が設けられている。取付部３７は、第２壁部３２の長手方向に沿って延在し、略Ｌ字状の断面形状を有している。取付部３７は、幕板１２の上端面に当接する第３壁部３８と、幕板１２の正面に当接する第４壁部３９とを有する。また、取付部３７は、第２壁部３２の正面に固定される第５壁部４０を有する。カバー３０は、第１壁部３１の一部を天板１３に重ねるとともに、第２壁部３２と取付部３７との間に幕板１２の上端部を挟むことにより机１０に取り付けられる。
【００２０】
図５に示すように、第１切り欠き部３３〜第４切り欠き部３６によって、カバー３０によって覆われた開口部２５の一部が開放され、ケーブルが挿通可能な６つの第１開口４１〜第６開口４６が形成される。第１開口４１〜第６開口４６は、三角形状に形成されている。第１開口４１は、第１切り欠き部３３と左側の脚部１１と天板１３とによって区画されている。脚部１１の上側隅部２０が切り欠かれていることにより、第１開口４１は、上面側及び側面側で開口している。第２開口４２は、第２切り欠き部３４と左側の脚部１１の上側隅部２０と幕板１２とによって区画され、背面側及び側面側で開口している。第３開口４３及び第４開口４４は、天板１３の幅方向の中央に設けられる。第３開口４３は、一方のカバー３０の第３切り欠き部３５と他方のカバー３０の第１切り欠き部３３と天板１３とによって区画され、上面側で開口している。第４開口４４は、一方のカバー３０の第４切り欠き部３６と他方のカバー３０の第２切り欠き部３４と幕板１２とによって区画され、背面側で開口している。第５開口４５は、第３切り欠き部３５と右側の脚部１１の上側隅部２０と天板１３とによって区画され、上面側及び側面側で開口している。第６開口４６は、第４切り欠き部３６と右側の脚部１１の上側隅部２０と幕板１２とによって区画され、背面側及び側面側で開口している。
【００２１】
次に、机１０及びカバー３０の作用について説明する。
図６に示すように、カバー３０を取り付けることによって、机１０の開口部２５は、第１開口４１〜第６開口４６を除く領域が閉塞される。第１開口４１〜第６開口４６には、天板１３に載置された電子機器又は棚板１４に載置された電子機器に接続する１乃至複数のケーブルを挿通させることができる。そのため、配線用の開口を設けるために、天板１３を複数に分割したり、天板１３に孔を貫通させたりする必要がない。
【００２２】
図中１点鎖線Ｃ１に例示されるように、天板１３側に設けられる第３開口４３、及び幕板１２側に設けられる第４開口４４など、向かい合う開口にケーブルを挿通して、幕板１２の背面に沿わせることも可能である。また、図中破線Ｃ２に例示されるように、第３開口４３からカバー３０の内側に通したケーブルを、第５開口４５から引き出すなど、一つのカバー３０内においてケーブルの引き込み及び引き出しを行うことも可能である。また、図中１点鎖線Ｃ５に例示されるように、ケーブルを床面に這わせるとき、下側隅部２１と床面との間の隙間に挿通することができる。このように、カバー３０は、シンプルな構成でありながら、ケーブルの引き出し位置を多数設け、配線パターンを多様とすることができるので、部品点数を低減するとともに配線の制約を低減できる。そのため、例えばケーブルをカバー３０の内側に挿通させることで隠したり、複数のケーブルをカバー３０の内側にまとめて配線したりすることができる。また、引き出し位置が６箇所に設けられることから、ケーブルを引き出す方向の自由度も高められる。さらにカバー３０はシンプルな構成であるため、使用可能な材料の制約が少なく、金属、プラスチックの他、木材なども用いることができる。
【００２３】
さらに、複数の机１０を幅方向に並べたとき、机１０の第５開口４５、及び隣り合う机１０の第１開口４１が隣り合う。そのため、図中１点鎖線Ｃ３に例示されるように、一方の机１０の第１開口４１からその机１０の第５開口４５を介して、他方の机１０の第１開口４１及び第５開口４５にケーブルを挿通することができる。なお、背面側の第２開口４２及び第６開口４６にケーブルを挿通することも可能である。また、１対の机１０を幕板１２が向かい合わせになるように配置すると、それらの机１０の第２開口４２及び第６開口４６、並びに第４開口４４どうしが向かい合わせになる。そのため、図中破線Ｃ４に例示されるように、棚板１４と天板１３との間から第４開口４４を通って、向かい合う机１０の第４開口４４にケーブルを挿通することも可能となる。さらに、図中１点鎖線Ｃ６に示すように、机１０の第３開口４３及び第４開口４４に挿通したケーブルを床面に這わせ、当該机１０の下側隅部２１等を介してケーブルを引き出すことも可能である。また、図中１点鎖線Ｃ７に示すように、机１０の第３開口４３及び第４開口４４に挿通されたケーブルを床面に這わせ、当該机１０の下側隅部２１と、当該机１０に横並びに配置された机１０の下側隅部２１等を介してケーブルを引き出すことも可能である。このため、このような机１０の集合体においても、ケーブルを隠したり、複数のケーブルをまとめて配線したりすることができる。
【００２４】
また、カバー３０は、第１壁部３１の一部を天板１３に重ねるとともに、幕板１２に取付部３７を掛けるようにして取り付けられるので、取り付けが容易である。カバー３０を外す際は、第１開口４１〜第６開口４６のいずれかに指を引っ掛けて机１０から取り外すことができるので、取り外しも容易である。
【００２５】
以上説明したように、第１実施形態によれば、以下に列挙する効果が得られるようになる。
（１）天板１３の端部２２と幕板１２の端部２３とで形成される開口部２５が、カバー３０によって覆われる。また、カバー３０に設けられた第１切り欠き部３３〜第４切り欠き部３６によって、ケーブルを挿通可能な開口である第１開口４１〜第６開口４６が区画される。カバー３０は、板状であって、第１壁部３１及び第２壁部３２を有するシンプルな構成でありながら、開口は、カバー３０の切り欠き部の数を増やすことにより多くできるため、部品点数は増加しない。そのため、部品点数を低減しつつ複数の配線用の開口を設けることができる。
【００２６】
（２）カバー３０の四隅に第１切り欠き部３３〜第４切り欠き部３６が設けられるので、部品点数を増加させずに、第１切り欠き部３３〜第４切り欠き部３６によって区画される開口を、一つのカバー３０において４つ設けることができる。また、２つのカバー３０を組み合わせることによって、ケーブルを挿通可能な開口を６つ設けることができる。このため、机１０の６箇所からケーブルを引き出し可能となるため、配線の制約を低減することができる。
【００２７】
（３）机１０の開口部２５に端部を切り欠いたカバー３０を１つ設ける場合には、カバー３０の端部が机１０の隅部に位置するため、配線用の開口は机１０の隅部に形成される。上記実施形態では、カバー３０の第３切り欠き部３５及び第４切り欠き部３６と、隣り合うカバー３０の第１切り欠き部３３及び第２切り欠き部３４によって、配線用の第３開口４３及び第４開口４４が形成されるので、机１０の隅部だけでなく、机１０の中央部にも配線用の開口を設けることができる。
【００２８】
（４）取付部３７は、幕板１２の上端面に当接する第３壁部３８と幕板１２の正面に当接する第４壁部３９とを有し、幕板１２の上端部に取り付けられる。このため、取付部３７をシンプルな構成とすることができる。また、机１０に取り付けられたカバー３０を、外力によって容易に脱落しない状態とし、安定させることができる。
【００２９】
（第２実施形態）
次に、本発明を具体化した第２実施形態を説明する。尚、第２実施形態は、第１実施形態の机及びカバーの一部を変更した構成であるため、同様の部分についてはその詳細な説明を省略する。
【００３０】
図７に示すように、机１０は、正面からみて左側に配置される第１カバー５１と、右側に配置される第２カバー５２とを有する。第１カバー５１は、第１壁部３１及び第２壁部３２を有し、その第１壁部３１の右側の端部と、第２壁部３２の右側の端部とには切り欠き部５５が形成されている。第２カバー５２は、第１壁部３１及び第２壁部３２を有し、その第１壁部３１の左側の端部と、第２壁部３２の左側の端部とには切り欠き部５６が形成されている。すなわち、第１カバー５１及び第２カバー５２は非対称な位置に切り欠き部が形成されている。なお、第１カバー５１及び第２カバー５２を区別しないで説明する場合には、単に「カバー３０」として説明する。
【００３１】
天板１３と、第１カバー５１の天板１３側に配置される切り欠き部５５と、第２カバー５２の天板１３側に配置される切り欠き部５６とによって、開口５７が区画される。また、幕板１２と、第１カバー５１の幕板１２側に配置される切り欠き部５５と、幕板１２側に配置される第２カバー５２の切り欠き部５６とによって、開口５８が区画される。一方、第１カバー５１及び第２カバー５２からなるカバー構造には、第１実施形態の第１開口４１、第２開口４２、第５開口４５、及び第６開口４６に相当する開口は設けられない。このように机１０の隅部を閉塞することによって、机１０の隅部からの物の落下、塵埃の侵入などを抑制することができる。
【００３２】
また、第１カバー５１及び第２カバー５２は、第１カバー５１を右側位置、第２カバー５２を左側位置に配置することも可能である。このようにすると、机１０の幅方向の中央には開口が設けられないが、天板１３の左側及び背面と、天板１３の右側及び背面とに開口を設けることができる。
【００３３】
以上説明したように、第２実施形態によれば、第１実施形態に記載した（１）〜（４）の効果に加えて、以下に列挙する効果が得られるようになる。
（５）第１カバー５１及び第２カバー５２は、第１壁部３１及び第２壁部３２のうち、脚部１１側の端部を除く端部に切り欠き部５５，５６を有する。このため、脚部１１側に切り欠き部５５，５６によって区画される開口を設けないようにすることができる。したがって、脚部１１側の開口から物が落ちたりすることがない。
【００３４】
なお、上記各実施形態は、以下のように適宜変更して実施することもできる。
・図８に示すように、机１０は、３つのカバー３０を有していてもよい。この構成によれば、机１０には８箇所の開口４９を設けることができる。或いは、机１０は、４つ以上の複数のカバー３０を有していてもよい。
【００３５】
・上記各実施形態では、机１０の開口部２５に２つのカバー３０を載置したが、開口部２５に載置されるカバー３０は１つであってもよい。この構成において、例えば、カバー３０が４つの端部に切り欠き部を有することで、机１０の隅部に開口を設けることができる。
【００３６】
・カバー３０は、断面略Ｌ字状の形状としたが、第１壁部３１及び第２壁部３２の接続部分が湾曲面となるように、接続部分を丸面取りしてもよい。
・カバー３０の切り欠き部は、カバー３０の四つの端のうち２箇所以上に設けられればよく、例えば、第１壁部３１のうち左側の端部と、第２壁部３２のうち右側の端部との２箇所に切り欠き部を設け、切り欠き部が対角線上に配置されるようにしてもよい。又は、カバー３０の四つの端部のうち、任意の三箇所に設けるようにしてもよい。
【００３７】
・上記各実施形態では、開口部を形成するための切り欠き部を、カバー３０の端部を斜めに切り欠くことにより形成したが、斜め以外にも、楕円状又は円形状に切り欠くことにより切り欠き部を形成してもよい。
【００３８】
・カバー３０の角を斜めに切り欠いた切り欠き部以外にも、カバー３０の長手方向の端部を三角形状又は楕円状などに切り欠いた切り欠き部をカバー３０に形成してもよい。この構成であっても、その切り欠き部と天板１３又は幕板１２とによって開口を区画できる。
【００３９】
・机１０は、棚板１４が省略されたものや、円柱状の４つの脚部１１を備えるものであってもよい。また、天板１３の高さ位置よりも高くパーティションとしても機能する側板を備えるものであってもよい。また、背面にパーティションとして機能する背板を備える机においては、背板を、その下端部が机１０のカバーに当接しないように配置することが好ましい。
【符号の説明】
【００４０】
１０…机、１１…脚部、１２…幕板、１３…天板、１４…棚板、２０…上側隅部、２１…下側隅部、２２，２３…端部、２５…開口部、３０…カバー、３１…第１壁部、３２…第２壁部、３３〜３６…第１切り欠き部〜第４切り欠き部、３７…取付部、４１〜４６…第１開口〜第６開口、４９…開口、５１…第１カバー、５２…第２カバー、５５，５６…切り欠き部、５７，５８…開口。
【図１】
0006696740.tif 000002
【図２】
0006696740.tif 000003
【図３】
0006696740.tif 000004
【図４】
0006696740.tif 000005
【図５】
0006696740.tif 000006
【図６】
0006696740.tif 000007
【図７】
0006696740.tif 000008
【図８】
0006696740.tif 000009